(57)【要約】【課題】  引戸開閉を容易にする引手を提供する。すなわち、本願発明の引手においては、指先で凸条の手掛かり部を挟んで引戸の開閉を行うことが可能であるから、凹部の内側面に指先を掛けるだけの引手と比較して、開閉に用いる指先の位置が一定となり、指先が引手から外れにくくなり、開閉に要する力を加えることが容易となる。また、開閉に用いる指先の位置が一定となり、引戸の開閉に用いる指先を引戸側端面で挟まないようになって、安全性が向上する。【解決手段】  引戸１に凹部２を設け、その凹部２の空間内部において、引戸１の開閉方向Xに直交しかつ引戸１の表面に平行な凸条の手掛かり部３を有し、その手掛かり部３の、引戸１の開閉方向X両側には指先が収まる空間４を有する。また、別の実施形態では、凹部底面６と手掛かり部３の間に指先が収まる空間７を設けてなる。【選択図】図１
2006299746.tif 000002
【特許請求の範囲】
【請求項１】
引戸の表面に凹部を設けて、その凹部の空間内部において開閉方向に直交しかつ引戸の表面に平行な凸条の手掛かり部を有し、その手掛かり部の開閉方向両側には指先が収まる空間を有することを特徴とする引手。
【請求項２】
凹部の底面と、手掛かり部との間に指先が収まる空間を有することを特徴とする請求項１記載の引手。
【発明の詳細な説明】
【技術分野】
【０００１】
本願発明は、引戸に設けられる引手に関するものである。
【背景技術】
【０００２】
従来から、襖や障子等の引戸を開閉するものとして引手が知られている。一般に引手は、指先を掛けて開閉する為の凹部を有し、それが引戸の所定の位置に、引戸を加工して設けられたり、引戸と別の部品として引戸に取り付けられたりする。例えば、図４に示すごとく、引戸１に設けられた凹部２であって、指先を掛けて方向Ｘに引戸１を開閉するものであった。
【０００３】
しかしながら、この場合には、引戸１を方向Ｘに開閉させる為の力を、指先を引手に掛けることのみにより発生させている。そのため、引戸１の質量が重い場合など開閉が困難な引戸１の場合には、引戸１の開閉の為に大きな力を発生させようとすると、指先が凹部２から外れてしまい、開閉の為の大きな力を得ることが困難であった。また、そのような引戸１の開閉の際に指先が動いてしまい、指先の位置が一定しないことも、引戸１の開閉を困難にする要因であった。これは特に、握力の低下した者や指先を自由に動作させることが出来ない者にとって、引戸の開閉を困難にしていた。また、引戸１の開閉時に、指先の位置が固定されないことから、引手が引戸１の側端面近くに設けられた場合に、指先を引戸１の側端面に挟んでしまう可能性を無くすことが出来なかった。
【０００４】
又、同種の引手として、特開平８−２４００４２号公報に示されるようなものも知られている。このものは、図５に示す如く、引戸１に引手部材５を対向配置したものである。
【０００５】
この場合には、凹部２を深くすることにより、指先を十分に深く掛けることが可能となり、引戸１の開閉が容易になるとされている。
【０００６】
しかしながら、この引手にあっては、引戸１を方向Ｘに開閉させる力は、凹部２の内側面８または内側面９に手を掛けることによってしか発生させることが出来ず、開閉に用いる指先が外れ易いという問題を解決していない。また、この引手を、引戸１の側端面近くに設けた場合には、引戸１の開閉時に指先位置が固定されない為、引戸１の側端面に指を挟んでしまう可能性を無くすことが出来ない。
【特許文献１】特開平８−２４００４２公報
【発明の開示】
【発明が解決しようとする課題】
【０００７】
本願発明は、上記背景技術に鑑みて発明されたものであり、その課題は、引戸の開閉を容易にし、引戸を閉じる際の安全性を向上させようとするものである。
【課題を解決するための手段】
【０００８】
上記課題を解決するために、本願発明の引手は、引戸の表面に凹部を設けて、その凹部空間内部において開閉方向に直交しかつ引戸の表面に平行な凸条の手掛かり部を有し、その手掛かり部の開閉方向両側には指先が収まる空間を設けたものである。
【発明の効果】
【０００９】
本願発明の引手においては、指先で凸条の手掛かり部を挟んで引戸の開閉を行うことが可能であるから、凹部の内側面に指先を掛けるだけの引手と比較して、開閉に用いる指先の位置が一定となり、指先が引手から外れにくくなり、開閉に要する力を加えることが容易となる。また、開閉に用いる指先の位置が一定となり、引戸の開閉に用いる指先を引戸側端面で挟まないようになって、安全性が向上する。
【発明を実施するための最良の形態】
【００１０】
図１は、本願の請求項１に対応した一実施形態である引手を示している。この実施形態の引手は、図１に示す如く、引戸１の表面に凹部２を設けて、その凹部２の空間内部において、引戸開閉方向Ｘに直交しかつ引戸１の表面に平行な凸条の手掛かり部３を有し、その手掛かり部３の開閉方向両側には指先が収まる空間４を有している。
【００１１】
以下、この実施形態の引手を、より具体的詳細に説明する。この実施形態の引手は、引戸１の開閉に用いられるものであり、引戸１に設けられた凹部２の空間内部に手掛かり部３を設けたものである。手掛かり部３は開閉方向Ｘと直交し、かつ引戸１の表面に平行に設けられている。手掛かり部３の引戸１の開閉方向Ｘ両側には、指先で手掛かり部３を挟む為の空間４が設けられている。図１（ａ）は凹部２を備えた引戸１の正面図である。この場合においては、引手は引戸１の側端面近くに設置されているが、本願発明は特に引手を設ける位置を限定するものではない。図１（ｂ）は本願発明における引手の拡大図である。図１（ｃ）は図１（ｂ）の断面図であり、空間４を用いて手掛かり部３を挟持する様態を示している。
【００１２】
従って、手掛かり部３を指先で挟むことにより、引戸１の開閉が容易となる。従来例において引戸１の開閉時に指先が外れ易くなる課題点も、手掛かり部３を挟持することにより解決されている。これは特に、握力の低下した者や指先を自由に動作させることが出来ない者にとって有効となる。また、引戸１の開閉時に指先の位置を固定することにより、引戸１の側端部で指先を挟む可能性が無くなり、引戸１の安全性が向上する。また、引戸１を開閉方向Ｘ両側に開閉させる場合において、従来例では引戸を開方向に動作させる場合と閉方向に動作させる場合では、それぞれ凹部２の内側面８および９を、手を掛け替えて動作させる必要があるのに対し、本願発明においては、手掛かり部３を挟持している為、手を掛け替える必要は無い。
【００１３】
図２は、本願の請求項１、２に対応した別の実施形態である引手を示している。この実施形態の引手は、凹部底面６と手掛かり部３との間に指先が収まる空間７を設けている。
【００１４】
この実施形態の引手は、凹部２の凹部底面６と手掛かり部３との間に、指先が収まる空間７を設けている。これにより、手掛かり部３を挟んだ指先を空間７に収めることが可能になる。引戸１を開閉しようとするものは、上記実施形態に比較して、指先によって手掛かり部を挟みながら、握ることも可能となる。
【００１５】
従って、空間７に指先を収めて引戸１を開閉する指先は、手掛かり部３を挟む場合に比較してより指先が引手から外れにくくなっており、引戸１の開閉が容易となる。これは特に、握力の低下した者や指先を自由に動作させることが出来ない者にとって有効となるが、空間７に指先を収めることによって手掛かり部３を挟持することが指１本でも可能となるため、上記実施形態と比較してより多くの人々が引戸開閉を行うことを可能にした。
【００１６】
なお、それ以外は、前記実施形態と同様に構成されており、前記実施形態と同様の作用効果が奏される。
【００１７】
図３は、本願の請求項１、２に対応した更に別の実施形態である引手を示している。この実施形態の引手は、引手の高さを引戸１の高さと同一にしている。
【００１８】
この実施形態の引手は、引手の高さを引戸１の高さと同一にしており、引戸上部・下部いずれにおいても手掛かり部３を挟持することが可能となる。
【００１９】
従って、引戸１を開閉しようとする者の指先の位置によらず、背の低い者も、背の高い者も、手掛かり部３を指先で挟み易くなり、引戸１の開閉が容易となる。
【００２０】
なお、手掛かり部３と、引手凹部底面６との間には、空間７を設けても良いし、設けなくても良い。空間７を設けた場合の効果は上記実施形態と同様の作用効果である。
【００２１】
なお、それ以外は、前記実施形態と同様に構成されており、前記実施形態と同様の作用効果が奏される。
【００２２】
なお、本願発明の引戸１の部材としては、木材、金属、樹脂等が考えられる。引戸１は、上吊や、滑車を備えているなど、その様式を特定しない。また引戸１は、１枚の引戸で構成されているものや、引違いの引戸や、複数枚の引戸が連動して動くなどその設置形式を特定しない。また引戸１はシャッターの如く、引戸１を巻いて収納する形式や、蛇腹の如く収縮するなど、引戸本体の形状が固定であるか、可変であるかを特定しない。
【００２３】
本願発明の引手は、引戸１の一部として形成されていても良く、また引手部材５を引戸１に取り付けた形式でも良い。
【００２４】
引手の材質は木材、金属、樹脂、ゴムが考えられる。指先と引手間の摩擦力を増大させる材質も好ましい実施形態であり、引手の材質を金属にして、その表面をゴムでコーティングすることで摩擦力を増大させることも考えられる。また引手表面に加工をして指先との摩擦力を増大させる実施形態も考えられる。引手形状は図１に示す長方形に限らず、円形、三角形、正方形、多角形と、その形状を限定しない。また、図１に示す如く手掛かり部３は凹部２の中央に形成される必要はない。
【００２５】
手掛かり部３の形状は、立方体、直方体、円柱形、三角柱などその形状を限定しない。また、手掛かり部３の断面形状は、正方形、長方形、円形、楕円形、三角形、多角形などその形状を限定せず、また手掛かり部３の全ての断面が同じ形状であることを必要としない。更に、手掛かり部３は全体として凸条の形状であれば良く、その一部に凹部や凸部を有していても良い。また手掛かり部３の上下は必ずしも凹部２の周側面に接している必要はない。また、手掛かり部３は１個である必要はなく、直列、並列、ランダム配置など凹部２空間内において複数個設けても良い。
【００２６】
また、凹部２の周側面と凹部底面６とが形成する角度は限定されない。これは、引戸１の開閉に必ずしも凹部２の周側面を用いる必要がないためである。
【００２７】
図１（ｃ）においては、凹部底面を水平に設けているが、これに限定するものではなく、半球形など別の形状であっても良い。
【００２８】
なお、上記実施形態は好ましい実施形態を挙げたに過ぎず、本願発明は上記実施形態に限定されない。
【図面の簡単な説明】
【００２９】
【図１】本願発明の一実施形態である引手を示す（ａ）は引手を設けた引戸の正面図、（ｂ）はその要部である引手を拡大した正面図、（ｃ）は引手の断面図。
【図２】本願発明の別の実施形態である引手の断面図。
【図３】本願発明の更に別の実施形態である引手を備えた引戸の正面図。
【図４】従来例である引手を設けた引戸要部の正面図。
【図５】別の従来例である引手を設けた引戸要部の断面図。
【符号の説明】
【００３０】
１  引戸
２  凹部
３  手掛かり部
４  手掛かり部の開閉方向両側に設けた指先が収まる空間
５  引手部材
６  引戸凹部の底面
７  引戸凹部の底面と手掛かり部間の指先が収まる空間
８  引手凹部の内側面
９  引手凹部の内側面
Ｘ  引戸の開閉方向
【図１】
2006299746.tif 000003
【図２】
2006299746.tif 000004
【図３】
2006299746.tif 000005
【図４】
2006299746.tif 000006
【図５】
2006299746.tif 000007